(57)【要約】【課題】直立式洋式便器に使われる小量の洗浄水を給水部に貯蔵し、貯蔵された洗浄水を吐水部から洋式便器に供給するために、貯蔵される調節水洗浄水の容量に応じて設計したハウジングを便器水槽の底面に設置する補助水槽装置と、補助水槽装置を作動するための制御部と、が備えられる直立式洋式便器用の補助水槽装置を提供する。【解決手段】水槽内部の底部に設けられ、給水と吐水のための給水口１１と吐水口１２をそれぞれ有するハウジング１０と、給水口１１からハウジング１０に洗浄水を供給し、満水となると、遮断する給水部２０と、吐水口１２を通じてハウジング１０から洗浄水を吐水し、吐水が完了すると、吐水口１２を遮断する吐水部３０と、吐水部３０と糞尿開閉器７１０の開閉を操作する制御部４０と、を備える。【選択図】図１
2008223219.tif 000002
【特許請求の範囲】
【請求項１】
排出路７１６と連結される糞尿排出管７０９の上部垂直部分に糞尿開閉器７１０が位置する直立式洋式便器用の補助水槽装置であって、
水槽内部の底部に設けられ、給水と吐水のための給水口１１と吐水口１２をそれぞれ有するハウジング１０と、
前記給水口１１からハウジング１０に洗浄水を供給し、満水となると、遮断する給水部２０と、
前記吐水口１２を通じてハウジング１０から洗浄水を吐水し、吐水が完了すると、前記吐水口１２を遮断する吐水部３０と、
前記吐水部３０と糞尿開閉器７１０の開閉を操作する制御部４０と、を備えることを特徴とする直立式洋式便器用の補助水槽装置。
【請求項２】
前記給水部２０が、ハウジング１０の内部の区画部の一方に設けられ、前記給水口１１に給水管２１が挿入され、前記給水管２１の上部に形成された搭載部２１１には、給水ノズル２２と調節栓２３が順に搭載されて給水管栓２４で結合され、給水開閉部材２６の一端は、回転ピン２７で給水管栓２４と垂直軸２５にヒンジ結合され、他端は、スクリュー棒２８を垂直に支持するように結合され、前記垂直軸２５とスクリュー棒２８により、浮力膜２９が上下に移動することを特徴とする請求項１記載の直立式洋式便器用の補助水槽装置。
【請求項３】
前記吐水部３０が、ハウジング１０の内部に設けられ、第１の支持部材１４に挿着された支持具３１にヒンジ結合される連結部材３３により、吐水口開閉栓３２と浮力調節部材３７がシーソー運動することを特徴とする請求項１記載の直立式洋式便器用の補助水槽装置。
【請求項４】
前記制御部４０においては、プッシャー４３が搭載されたサポータブラケット４２がハウジング１０の上部に設けられ、前記サポータブラケット４２には、支持具４２１、４２２とケース４２３が形成されて第１、２のリンク部材４４、４５が締め付けられ、前記第１のリンク部材４４により上昇下降する糞尿開閉器連結台４６がケース４７の内部に設けられ、前記ケース４７は、一方に錘４８１と第３のリンク部材４８が設けられ、前記第２、３のリンク部材４５、４８には連結線４９が設けられ、吐水口開閉栓３２の連結輪３４に連結されることを特徴とする請求項１記載の直立式洋式便器用の補助水槽装置。
【請求項５】
前記プッシャー４３には、下部に４つの脚４３１と、前後２つの第１の押圧部４３２と、内部に第２の押圧部４３３とが突設されることを特徴とする請求項４記載の直立式洋式便器用の補助水槽装置。
【請求項６】
前記糞尿開閉器連結台４６の一方には、ストッパ４６１がさらに設けられることを特徴とする請求項４記載の直立式洋式便器用の補助水槽装置。
【発明の詳細な説明】
【技術分野】
【０００１】
本発明は、直立式洋式便器用の補助水槽装置に関し、より詳しくは、直立式洋式便器に使われる小量の洗浄水を給水部に貯蔵し、貯蔵された洗浄水を吐水部から洋式便器に供給するように、直立式洋式便器の内部に設けられる補助水槽装置に関する。
【背景技術】
【０００２】
従来、公知の技術として、本願発明と同一の出願人による特許文献１には、便器ボールの排出路に連結する糞尿排出管と、前記糞尿排出管にて昇降する糞尿開閉器と、前記便器ボールの導水路に連結する吐水口が吐水口開閉栓で開閉され、浮揚物の昇降により給水口を遮断または開放する開閉手段と、を備える便器水槽において、前記便器水槽の内部に設けられる回転錘の回転により、回転錘保管部が、シーソー運動するように便器水槽の両方にヒンジで連結され、前記回転錘保管部の一端は、糞尿洗浄レバーが結合され、便器水槽の外部に露出し、他端は、糞尿洗浄レバーの作動により、吐水口開閉栓と糞尿開閉器を連動する連結レバー部が結合された水槽洗浄レバーで構成される調節水型洋式便器が開示されている。
【０００３】
【特許文献１】韓国特許第２７７５７４号公報
【０００４】
しかしながら、このような従来の直立式洋式便器の構造は、一般に使われる洋式便器の内部に、給水口と浮揚物と吐水口を設け、側面で作動する水槽洗浄レバーを用いて、回転錘保管部のシーソー運動により、洗浄水を貯蔵後、洋式便器に供給する構成であり、一般に使われる洋式便器に前記装置を設置しなければならないという煩わしさと、別途の設置費が発生し、大容量を貯蔵する洋式便器に少量の洗浄水を貯蔵することにより、実用的ではないという問題点があった。
【発明の開示】
【発明が解決しようとする課題】
【０００５】
本発明は、上述の問題点に鑑みてなされたもので、その目的は、直立式洋式便器に使われる小量の洗浄水を給水部に貯蔵し、貯蔵された洗浄水を吐水部から洋式便器に供給するために、貯蔵される調節水洗浄水の容量に応じて設計したハウジングを便器水槽の底面に設置する補助水槽装置と、前記補助水槽装置を作動するための制御部と、が備えられる直立式洋式便器用の補助水槽装置を提供することにある。
【課題を解決するための手段】
【０００６】
前記目的を達成すべく、本発明に係る直立式洋式便器用の補助水槽装置によれば、水槽内部の底部に設けられ、給水と吐水のための給水口と吐水口をそれぞれ有するハウジングと、前記給水口からハウジングに洗浄水を供給し、満水となると、遮断する給水部と、前記吐水口を通じてハウジングから洗浄水を吐水し、吐水が完了すると、前記吐水口を遮断する吐水部と、前記吐水部と糞尿開閉器の開閉を操作する制御部と、を備えることを特徴とする。
【０００７】
また、前記給水部が、ハウジングの内部の区画部の一方に設けられ、前記給水口に給水管が挿入され、前記給水管の上部に形成された搭載部には、給水ノズルと調節栓が順に搭載されて給水管栓で結合され、給水開閉部材の一端は、回転ピンで給水管栓と垂直軸にヒンジ結合され、他端は、スクリュー棒を垂直に支持するように結合され、前記垂直軸とスクリュー棒により、浮力膜が上下に移動することを特徴とする。
【０００８】
また、前記吐水部が、ハウジングの内部に設けられ、第１の支持部材に挿着された支持具にヒンジ結合される連結部材により、吐水口開閉栓と浮力調節部材がシーソー運動することを特徴とする。
【０００９】
また、前記制御部においては、プッシャーが搭載されたサポータブラケットがハウジングの上部に設けられ、前記サポータブラケットには、支持具とケースが形成されて第１、２のリンク部材が締め付けられ、前記第１のリンク部材により上昇下降する糞尿開閉器連結台がケースの内部に設けられ、前記ケースは、一方に錘と第３のリンク部材が設けられ、前記第２、３のリンク部材には連結線が設けられ、吐水口開閉栓の連結輪に連結されることを特徴とする。
【００１０】
また、前記プッシャーには、下部に４つの脚と、前後２つの第１の押圧部と、内部に第２の押圧部とが突設されることを特徴とする。
【００１１】
また、前記糞尿開閉器連結台の一方には、ストッパがさらに設けられることを特徴とする。
【発明の効果】
【００１２】
本発明によれば、直立式洋式便器に使われる小量の洗浄水を給水部に貯蔵し、貯蔵された洗浄水を吐水部から洋式便器に供給するために、貯蔵される調節水洗浄水の容量に応じて設計したハウジングを便器水槽の底面に設置する補助水槽装置と、前記補助水槽装置を作動するための制御部と、が備えられる直立式洋式便器用の補助水槽装置を提供することにより、２．３リットルの調節水洗浄水の給水と吐水の作動を円滑に制御することができるという効果がある。
【発明を実施するための最良の形態】
【００１３】
以下、本発明の好ましい実施の形態を、添付図面に基づき詳細に説明する。
【００１４】
図１は、本発明に係る直立式洋式便器用の補助水槽装置を示す斜視図であり、図２は、本発明に係る補助水槽装置のハウジングを示す斜視図であり、図３は、本発明に係る補助水槽装置の給水部を示す分解斜視図であり、図４は、本発明に係る補助水槽装置の吐水部の実施の形態を示す図であり、図５は、本発明に係る補助水槽装置の制御部を示す分解図であり、図６は、本発明に係る給水部の作動例を示す図であり、図７乃至図９は、本発明に係る補助水槽装置の実施の形態を示す図である。図８は排出路７１６と連結される糞尿排出管７０９の上部垂直部分に糞尿開閉器７１０が位置する直立式洋式便器用の補助水槽装置を示す。
【００１５】
以下、図面を参照して、各構成要素について説明する。
【００１６】
図１は、直立式洋式便器用の補助水槽装置を示す斜視図であり、前記補助水槽装置は、ハウジング１０と、給水部２０と、吐水部３０と、制御部４０とで構成される。
【００１７】
前記ハウジング１０は、水槽内部の底部に設けられ、図２に示すように、突出部１６で分けられ、一方に給水口１１が形成され、他方に吐水口１２と、２つの固定孔１３と、ガイド溝１５が形成された第１の支持部材１４とが設けられ、前記突出部１６の一面には、上下に貫通した第２の支持部材１７が設けられ、前記固定孔１３に結合されるボルト１８とナット１９によって水槽内部の底部に設置される。
【００１８】
前記給水部２０は、ハウジング１０の給水口１１の上部に設けられ、図３と図６に示すように、給水管２１の上部に形成された搭載部２１１には、給水ノズル２２と調節栓２３が順に搭載され、給水管２１の内壁に形成された溝２１２に、給水管栓２４の突出具２４１が結合され、前記給水管栓２４の一面には、洗浄水が供給される通孔２４２が形成され、上部一側には、垂直軸２５が設けられ、給水開閉部材２６の一端が、回転ピン２７によって前記垂直軸２５と給水管栓２４にヒンジ結合され、給水開閉部材２６の他端には、スクリュー棒２８が固定ピン２７ａで支持され、前記垂直軸２５の上部には、浮力膜２９が挿入され、前記浮力膜２９の後端に形成される結合具２９１には、スクリュー棒２８が結合され、洗浄水の供給または排出の際に、前記スクリュー棒２８により浮力膜２９が上下に移動する構成である。
【００１９】
前記吐水部３０は、ハウジング１０の吐水口１２の上部に設けられ、図４（ａ）に示すように、図２に示した第１の支持部材１４のガイド溝１５に、内部に形成された突出具３１１が案内されて挿着される支持具３１と、前記支持具３１の両方に突出するヒンジ軸３８に締め付けられる連結部材３３と、この連結部材３３の前後端に設けられてシーソー運動する吐水口開閉栓３２と浮力調節部材３７と、前記吐水口開閉栓３２の上部に設けられた、制御部４０の連結線４９と連結される連結輪３４と、下部に、ゴムパッキング３６で結合された突出部３５で構成され、吐水口１２を開閉する構成である。また、図４（ｂ）は、前記吐水口開閉栓３２により吐水口１２が閉鎖された状態を示す斜視図であり、図４（ｃ）は、前記吐水口開閉栓３２により吐水口１２が開放された状態を示す斜視図である。
【００２０】
前記制御部４０には、図５と図８に示すように、ばね４１１で作動するボタン４１が水槽蓋７２２を貫通して設置され、前記ボタン４１の下部には、４つの脚４３１と、前後２つの第１の押圧部４３２と、内部の第２の押圧部４３３とで形成されるプッシャー４３が設けられ、サポータブラケット４２に搭載されるが、前記サポータブラケット４２には、プッシャー４３の脚４３１が挿入される通孔４２ａと、プッシャー４３の第１の押圧部４３２が挿入されるケース４２３と、前記ケース４２３の左方には、前後に第１の支持具４２１が支持棒４２１ａで連結され、ケース４２３の右方には、前後に第２の支持具４２２が支持棒４２２ａで連結され、前記第１、２の支持具４２１、４２２の支持棒４２１ａ、４２２ａには、引込部４４ａ、４５ａをそれぞれ有する第１、２のリンク部材４４、４５が締め付けられ、前記第２のリンク部材４５は、ケース４２３に挿入される第１の押圧部４３２の下部に位置し、前記第１のリンク部材４４の端部に挿入されて上昇下降する糞尿開閉器連結台４６の下部は、ケース４７の内部に挿入され、上部はサポータブラケット４２を貫通して支持され、前記ケース４７の一方には、錘４８１と第３のリンク部材４８が一体に形成される。前記第２、３のリンク部材４５、４８には、連結線４９が設けられ、吐水口開閉栓３２の連結輪３４に連結され、前記糞尿開閉器連結台４６の一方には、ストッパ４６１と、下部のばね４６３で作動する固定装置４６２とが設けられ、糞尿開閉器７１０が結合される。
【００２１】
次に、前記制御部４０の作動方法について説明する。先ず、使用者がボタン４１を押すと、ケース４２３に挿入された第１の押圧部４３２が、下部に位置する第２のリンク部材４５の上面を押すとともに、プッシャー４３の内部に設けられる第２の押圧部４３３が、第１のリンク部材４４の上面を押し、支持棒４２１ａ、４２２ａに挿入されたそれぞれの引込部４４ａ、４５ａにより、第１、２のリンク部材４４、４５が回転し、この際、第１のリンク部材４４の上部面の端部は第２のリンク部材４５の引込部４５ａの上部を押し、第２のリンク部材４５の他端部に結合された連結線４９を持ち上げるようになる。また、前記第２の押圧部４３３により、第１のリンク部材４４の端部が上昇することにより、前記第１のリンク部材４４の他端部が挿入された糞尿開閉器連結台４６が、上部に移送され、連結線４９が結合された第３のリンク部材４８を上げる作業が、プッシャー４３の押圧により同時に進行され、第２、３のリンク部材４５、４８に連結された連結線を持ち上げ、下部に結合される吐水部３０の開閉を制御するようになる。
【００２２】
図６は、給水部２０の作動例として、ハウジング１０に貯蔵された洗浄水が徐々に吐水口１２に排出されることにより、ハウジング１０の内部に洗浄水が供給されるように、図６（ａ）に示すように、浮力膜２９が下降しながら、前記給水開閉部材２６の後端に設けられたスクリュー棒２８が、前記給水開閉部材２６を押圧することにより、前端の回転ピン２７が時計方向に回転しながら、給水管栓２４の通孔２４２を閉鎖していた給水開閉部材２６の前端部が開放されて洗浄水が供給され、必要量の洗浄水の供給が完了すると、図６（ｂ）に示すように、浮力膜２９が上昇するとともに、給水開閉部材２６の後端のスクリュー棒２８が水圧により上昇しながら、給水開閉部材２６の前端の回転ピン２７が反時計方向に回転し、給水管栓２４の通孔２４２を遮断して洗浄水の供給を完了するようになる。
【００２３】
図７乃至図９は、補助水槽装置の実施の形態を示す図であり、図７は、図４に示した吐水口１２を閉鎖した吐水部３０が連結線４９の上昇により開放された状態を示し、図８及び図９は、制御部４０の初期状態及び動作状態における便器水槽７０２の内部の状態を示し、以下、上述したように構成される調節水洋式便器用の補助水槽装置の作動方法について説明する。
【００２４】
先ず、ハウジング１０に貯蔵された洗浄水が吐水口１２に流れ出ると、給水部２０の浮力膜２９とスクリュー２８が徐々に下降しながら、給水管栓２４の通孔２４２を閉鎖していた給水開閉部材２６が開放されるとともに洗浄水が供給され、一定量（約２．３リットル）の洗浄水が給水されながら、浮力膜２９とスクリュー２８が徐々に上部に移動し、給水開閉部材２６は、給水管栓２４の通孔２４２を閉鎖して供給を遮断するようになり、この際、給水管２１の上部に形成された搭載部２１１の内部に搭載される給水ノズル２２の上部の調節栓２３は、洗浄水の供給時、上部に移動して給水ノズル２２を開放し、遮断時、給水ノズル２２を閉鎖するようになる。
【００２５】
ハウジング１０に貯蔵された洗浄水は、使用者が上部のボタン４１を押すと、下部のレバー４３が、図７に示すように押され、前述した制御部４０の作動方法のような段階を経て、連結線４９が上昇してハウジング１０底部の吐水口１２を閉鎖していた吐水口開閉栓３２を開放し、糞尿開閉器連結台４６のストッパ４６１は、図７に示すように、第３のリンク部材４８の上側に係止され、一定の重さを有する錘４８１と一緒に、洗浄水が流れ出る時間と連動して、吐水口開閉栓３２を徐々に閉鎖するように時間を遅延させ、洗浄水が吐水口１２から完全に流れ出ると、制御部４０は初期状態に位置し、給水口１１から新たな洗浄水が供給され、ハウジング１０の内部に貯蔵されることを繰り返して行うようになる。
【図面の簡単な説明】
【００２６】
【図１】本発明に係る直立式洋式便器用の補助水槽装置を示す斜視図である。
【図２】本発明に係る補助水槽装置のハウジングを示す斜視図である。
【図３】本発明に係る補助水槽装置の給水部を示す分解斜視図である。
【図４】（ａ）は本発明に係る補助水槽装置の吐水部の実施の形態を示す図である。（ｂ）は本発明に係る補助水槽装置の吐水部の実施の形態を示す図である。（ｃ）は本発明に係る補助水槽装置の吐水部の実施の形態を示す図である。
【図５】本発明に係る補助水槽装置の制御部を示す分解図である。
【図６】（ａ）は本発明に係る給水部の作動例を示す図である。（ｂ）は本発明に係る給水部の作動例を示す図である。
【図７】本発明に係る補助水槽装置の実施の形態を示す図である。
【図８】本発明に係る補助水槽装置の実施の形態を示す図である。
【図９】本発明に係る補助水槽装置の実施の形態を示す図である。
【符号の説明】
【００２７】
１０  ハウジング
１１  給水口
１２  吐水口
１３  固定孔
１４  第１の支持部材
１６  突出部
１７  第２の支持部材
２０  給水部
２１  給水管
２２  給水ノズル
２３  調節栓
２４  給水管栓
２５  垂直軸
２６  給水開閉部材
２７  回転ピン
２８  スクリュー棒
２９  浮力膜
３０  吐水部
３１  支持具
３２  吐水口開閉栓
３３  連結部材
３４  連結輪
３７  浮力調節部材
３８  ヒンジ軸
４０  制御部
４１  ボタン
４２  サポータブラケット
４３  プッシャー
４４  第１のリンク部材
４５  第２のリンク部材
４６  糞尿開閉器連結台
４８  第３のリンク部材
４９  連結線
【図１】
2008223219.tif 000003
【図２】
2008223219.tif 000004
【図３】
2008223219.tif 000005
【図４】
2008223219.tif 000006
【図５】
2008223219.tif 000007
【図６】
2008223219.tif 000008
【図７】
2008223219.tif 000009
【図８】
2008223219.tif 000010
【図９】
2008223219.tif 000011